(57)【要約】【課題】  本発明は、簡単な構造でコンクリ−トパネルの組立が確実になされる壁面材の組立構造を提供するものであり、従前のようにその固定に用いられたクランプ等の治具を外す必要のない組立構造である。【解決手段】  方形のコンクリ−トパネルを水平方向に千鳥状に配置し、隣り合うコンクリ−トパネル同士を添接板にて接続し、これを取り外すことなく更に上段にコンクリ−トパネルを配置し、かかる添接板にて更に接続することを特徴とするコンクリ−トパネル壁面材の組立構造。１０ａ、１０ｂ‥添接板、２０、２０Ａ‥コンクリ−トパネル、２０Ａ0 ‥パネルのコ−ナ−部、２２‥円状フック、２３‥ボルト。【選択図】  図３
2005113543.tif 000002
【特許請求の範囲】
【請求項１】
方形のコンクリ−トパネルを水平方向に千鳥状に配置し、隣り合うコンクリ−トパネル同士を添接板にて接続し、これを取り外すことなく更に上段にコンクリ−トパネルを配置し、かかる添接板にて更に接続することを特徴とするコンクリ−トパネル壁面材の組立構造。
【請求項２】
コンクリ−トパネルが、盛土の壁面材を構成する請求項１記載のコンクリ−トパネル壁面材の組立構造。
【請求項３】
コンクリ−トパネル同士を、盛土側にて添接板で接続した請求項２記載のコンクリ−トパネル壁面材の組立構造。
【請求項４】
添接板が斜めに接続された請求項１乃至３いずれか記載のコンクリ−トパネル壁面材の組立構造。
【請求項５】
添接板の一部が、更に上段に配置されるコンクリ−トパネルのコ−ナ−面を覆うように接続された請求項１乃至４いずれか記載のコンクリ−トパネル壁面材の組立構造。
【請求項６】
添接板に開ける一対のボルト挿通穴のうち、少なくとも一方が長穴である請求項１記載のコンクリ−トパネル壁面材の組立構造。
【発明の詳細な説明】
【技術分野】
【０００１】
本発明は、コンクリ−トパネルの組立構造に関し、更に言えば、このパネルを盛土の法面に壁面材として構築する組立構造に係るものである。
【背景技術】
【０００２】
従来から、盛土の崩壊を防ぐために、各種の盛土補強構造が採用されている。特に、網目状の盛土補強部材を盛土内に配置する盛土補強構造は、盛土の安定性に優れているため、数多く施工されている。その一例としては、特許文献１に記載のようにエキスパンドメタル等からなる法面補強部材と、ジオテキスタイルと呼ばれる網目状の盛土補強部材によって盛土を補強するものである。
【０００３】
【特許文献１】特開２００１−１１８６５号公報
【０００４】
一方、このエキスパンドメタル等からなる法面補強部材の代わりに、コンクリ−トパネルを組み立てて法面を構成する場合もあり、比較的薄型のパネルが用いられるため、敷設した盛土補強部材の上に盛土材料を盛る前にはパネルが不安定なため、クランプ等の治具を用いてパネルの表裏を挟み込んで固定する必要がある。従って、更に上段にパネルを設置する際にはこのクランプが邪魔になりこれを全て取り外す必要がある。
【発明の開示】
【発明が解決しようとする課題】
【０００５】
本発明は、簡単な構造でコンクリ−トパネルの組立が確実になされる壁面材の組立構造を提供するものであり、従前のようにその固定に用いられたクランプ等の治具を外す必要のない組立構造である。
【課題を解決するための手段】
【０００６】
本発明は、以上の課題を解決するためになされたものであって、その要旨は、方形のコンクリ−トパネルを水平方向に千鳥状に配置し、隣り合うコンクリ−トパネル同士を添接板にて接続し、これを取り外すことなく更に上段にコンクリ−トパネルを配置し、かかる添接板にて更に接続することを特徴とするコンクリ−トパネル壁面材の組立構造に係るものである。
【０００７】
そして、具体的には、このコンクリ−トパネルが、盛土の壁面材を構成するものであり、添接板は盛土側にて接続されるものである。特に具体例としては、添接板が斜めに接続され、この添接板の一部が、更に上段に配置されるコンクリ−トパネルのコ−ナ−面を覆うように接続されるものである。
【発明の効果】
【０００８】
本発明は、コンクリ−トパネルの組立が確実になされ、更に、用いられた添設板が次に配置されるパネルのガイド役をもなすものであり、施工性が著しく簡便となった。
【発明を実施するための最良の形態】
【０００９】
本発明における添接板は少なくとも一対のボルト挿通穴を有しており、好ましくは、少なくともその一方が長穴である。こうすることによって、ボルトの螺合位置にずれが生じても長穴であるためにその調整は極めて簡単である。法面を構成するコンクリ−トパネルにあっては、その盛土側にこの添接板を備えるものであって、場合によっては、両側に設けることも行われる。
【００１０】
一般的にはコンクリ−トパネルの水平方向に位置するパネル間にかかる添接板を用いるものであって、通常は水平に或いは斜めにして固定されるものであり、場合によっては、上下のパネル間の固定にも使用される。コンクリ−トパネルが千鳥状をなして配置される場合には、斜め配置が好ましく、この添接板の一部が上段に配置されるコンクリ−トパネルのコ−ナ−面を覆うように接続される時には、上段のコンクリ−トパネルのガイドの役割をもするもので、施工性が著しく向上する。
【００１１】
コンクリ−トパネルにあっては、添接板のボルト挿通穴に対して、ボルトを立設したり、この部位に例えば袋ナットを埋設して添接板の固定をもたらすものである。尚、単なる穴を開け、ここにボルト螺合用の割りピ−スを埋め込むことも可能である。勿論、パネルに貫通するボルト挿通穴を形成してここにボルトを通すこともできることは言うまでもない。
【００１２】
尚、盛土補強部材とは、盛土自体の補強のために敷設され、盛土中に埋設される網目状の合成樹脂からなるものである。コンクリ−トパネルの円状フックと盛土補強部材との連結を一層確実なものとし、盛土補強部材がフックから抜けないようにするため、盛土補強部材の網目の上面と円状フックの内面とでできた隙間に横桟を差し込むのがよい。かかる横桟は円状フックの内径に比べて細目のものが採用され、その機能はこの内径内にて動き得る範囲で盛土補強部材の動きを許容し、その分コンクリ−ト壁面材への引張力の影響を少なくしようとするものである。
【実施例】
【００１３】
以下、本発明を図面をもって更に詳細に説明する。図１は本発明にて用いる添接板１０の斜視図であり、長手方向に一対のボルト挿通穴１１、１２が形成され、この例ではいずれのボルト挿通穴も長穴となっている。
【００１４】
図２はコンクリ−トパネル２０の斜視図であり、かかるパネル２０には所定の位置にボルト挿通穴２１を穿孔したものであり、図３に示すように水平方向に千鳥状に組み立てられる。この例におけるコンクリ−トパネル２０は盛土の法面を形成するものであり、盛土側に図示しない盛土補強部材の網目が引っ掛けられる円状フック２２を多数備えたものである。
【００１５】
本発明の添設板１０をａ部では水平（１０ａ）に、ｂ部では斜めに取り付けた（１０ｂ）ものであり、この例では添設板１０側よりボルト２３をボルト挿通穴１１、１２及びコンクリ−トパネル２０のボルト挿通穴２１に挿入し、反対側にてナットを螺合して固定したものである。添設板１０に開けられたボルト挿通穴１１、１２が長穴となっているために、ボルト２３が所定の位置より多少ずれていたとしても位置の調節は自動的になされ、その固定は極めて簡単となる。
【００１６】
さて、図４は図３の主要部の拡大図であるが、斜めに取り付けられた添設板１０ｂにあっては、その中央部がややパネル２０より浮き出した状態であり、この部位に新たに組み込まれるコンクリ−トパネル２０Ａのコ−ナ−部２０Ａ0 が当接されて固定されるものであり、この添設板１０ｂはパネル２０の固定と共にパネル２０Ａが所定の位置に納まるように案内を司ることともなる。
【００１７】
図５及び図６はコンクリ−トパネル２０にて盛土の壁面材を構成した完成図である。コンクリ−トパネル２０は紙面の表裏に伸びて構成され、千鳥状に積み重ねられたパネル２０が斜めに取り付けられた添設板１０ｂにて固定された例である。そして、パネル２０の盛土側に並んで突出した円状フック２２にプラスチック製の盛土補強部材３０の網目３１が引っ掛けられ、円状フック２２内に横桟２４が挿入される。その後、この上より盛土が施されるものである。尚、図においては、盛土は省略してある。
【産業上の利用可能性】
【００１８】
本発明は、以上のような簡単な構造でコンクリ−トパネルの組立が確実になされ、更に、用いられた添設板が次に配置されるパネルのガイド役をもなすものであり、従来のようなクランプ方式とは異なり、添設板にて固定したまま盛土するものであり、その施工性が著しく簡便となった。あらゆるパネルの組み立てに利用が可能となったものである。
【図面の簡単な説明】
【００１９】
【図１】図１は添設板の斜視図である。
【図２】図２はコンクリ−トパネル及びその組立例を示す図である。
【図３】図３はコンクリ−トパネルに添設板を用いた組立例を示す図である。
【図４】図４は図３の主要部の拡大図である。
【図５】図５はコンクリ−トパネルによって構成された壁面材及び盛土補強部材との関係を示す側面図である。
【図６】図６はコンクリ−トパネルによって構成された壁面材及び盛土補強部材との関係を示す平面図である。
【符号の説明】
【００２０】
１０、１０ａ、１０ｂ  添接板、
１１、１２  ボルト挿通穴、
２０、２０Ａ  コンクリ−トパネル、
２０Ａ0   パネルのコ−ナ−部、
２１  ボルト挿通穴、
２２  円状フック、
２３  ボルト、
２４  横桟、
３０  盛土補強部材、
３１  網目。
【図１】
2005113543.tif 000003
【図２】
2005113543.tif 000004
【図３】
2005113543.tif 000005
【図４】
2005113543.tif 000006
【図５】
2005113543.tif 000007
【図６】
2005113543.tif 000008
【手続補正書】
【提出日】平成16年1月15日(2004.1.15)
【手続補正１】
【補正対象書類名】明細書
【補正対象項目名】全文
【補正方法】変更
【補正の内容】
【発明の詳細な説明】
【技術分野】
【０００１】
本発明は、コンクリ−トパネルの組立構造に関し、更に言えば、このパネルを盛土の法面に壁面材として構築する組立構造に係るものである。
【背景技術】
【０００２】
従来から、盛土の崩壊を防ぐために、各種の盛土補強構造が採用されている。特に、網目状の盛土補強部材を盛土内に配置する盛土補強構造は、盛土の安定性に優れているため、数多く施工されている。その一例としては、特許文献１に記載のようにエキスパンドメタル等からなる法面補強部材と、ジオテキスタイルと呼ばれる網目状の盛土補強部材によって盛土を補強するものである。
【０００３】
【特許文献１】特開２００１−１１８６５号公報
【０００４】
一方、このエキスパンドメタル等からなる法面補強部材の代わりに、コンクリ−トパネルを組み立てて法面を構成する場合もあり、比較的薄型のパネルが用いられるため、敷設した盛土補強部材の上に盛土材料を盛る前にはパネルが不安定なため、クランプ等の治具を用いてパネルの表裏を挟み込んで固定する必要がある。従って、更に上段にパネルを設置する際にはこのクランプが邪魔になりこれを全て取り外す必要がある。
【発明の開示】
【発明が解決しようとする課題】
【０００５】
本発明は、簡単な構造でコンクリ−トパネルの組立が確実になされる壁面材の組立構造を提供するものであり、従前のようにその固定に用いられたクランプ等の治具を外す必要のない組立構造である。
【課題を解決するための手段】
【０００６】
本発明は、以上の課題を解決するためになされたものであって、その要旨は、方形のコンクリ−トパネルを水平方向に千鳥状に配置し、隣り合うコンクリ−トパネル同士を添接板にて接続し、これを取り外すことなく更に上段にコンクリ−トパネルを配置し、かかる添接板にて更に接続することを特徴とするコンクリ−トパネル壁面材の組立構造に係るものである。
【０００７】
そして、具体的には、このコンクリ−トパネルが、盛土の壁面材を構成するものであり、添接板は盛土側にて接続されるものである。特に具体例としては、添接板が斜めに接続され、この添接板の一部が、更に上段に配置されるコンクリ−トパネルのコ−ナ−面を覆うように接続されるものである。
【発明の効果】
【０００８】
本発明は、コンクリ−トパネルの組立が確実になされ、更に、用いられた添接板が次に配置されるパネルのガイド役をもなすものであり、施工性が著しく簡便となった。
【発明を実施するための最良の形態】
【０００９】
本発明における添接板は少なくとも一対のボルト挿通穴を有しており、好ましくは、少なくともその一方が長穴である。こうすることによって、ボルトの螺合位置にずれが生じても長穴であるためにその調整は極めて簡単である。法面を構成するコンクリ−トパネルにあっては、その盛土側にこの添接板を備えるものであって、場合によっては、両側に設けることも行われる。
【００１０】
一般的にはコンクリ−トパネルの水平方向に位置するパネル間にかかる添接板を用いるものであって、通常は水平に或いは斜めにして固定されるものであり、場合によっては、上下のパネル間の固定にも使用される。コンクリ−トパネルが千鳥状をなして配置される場合には、斜め配置が好ましく、この添接板の一部が上段に配置されるコンクリ−トパネルのコ−ナ−面を覆うように接続される時には、上段のコンクリ−トパネルのガイドの役割をもするもので、施工性が著しく向上する。
【００１１】
コンクリ−トパネルにあっては、添接板のボルト挿通穴に対して、ボルトを立設したり、この部位に例えば袋ナットを埋設して添接板の固定をもたらすものである。尚、単なる穴を開け、ここにボルト螺合用の割りピ−スを埋め込むことも可能である。勿論、パネルに貫通するボルト挿通穴を形成してここにボルトを通すこともできることは言うまでもない。
【００１２】
尚、盛土補強部材とは、盛土自体の補強のために敷設され、盛土中に埋設される網目状の合成樹脂からなるものである。コンクリ−トパネルの円状フックと盛土補強部材との連結を一層確実なものとし、盛土補強部材がフックから抜けないようにするため、盛土補強部材の網目の上面と円状フックの内面とでできた隙間に横桟を差し込むのがよい。かかる横桟は円状フックの内径に比べて細目のものが採用され、その機能はこの内径内にて動き得る範囲で盛土補強部材の動きを許容し、その分コンクリ−ト壁面材への引張力の影響を少なくしようとするものである。
【実施例】
【００１３】
以下、本発明を図面をもって更に詳細に説明する。図１は本発明にて用いる添接板１０の斜視図であり、長手方向に一対のボルト挿通穴１１、１２が形成され、この例ではいずれのボルト挿通穴も長穴となっている。
【００１４】
図２はコンクリ−トパネル２０の斜視図であり、かかるパネル２０には所定の位置にボルト挿通穴２１を穿孔したものであり、図３に示すように水平方向に千鳥状に組み立てられる。この例におけるコンクリ−トパネル２０は盛土の法面を形成するものであり、盛土側に図示しない盛土補強部材の網目が引っ掛けられる円状フック２２を多数備えたものである。
【００１５】
本発明の添接板１０をａ部では水平（１０ａ）に、ｂ部では斜めに取り付けた（１０ｂ）ものであり、この例では添接板１０側よりボルト２３をボルト挿通穴１１、１２及びコンクリ−トパネル２０のボルト挿通穴２１に挿入し、反対側にてナットを螺合して固定したものである。添接板１０に開けられたボルト挿通穴１１、１２が長穴となっているために、ボルト２３が所定の位置より多少ずれていたとしても位置の調節は自動的になされ、その固定は極めて簡単となる。
【００１６】
さて、図４は図３の主要部の拡大図であるが、斜めに取り付けられた添接板１０ｂにあっては、その中央部がややパネル２０より浮き出した状態であり、この部位に新たに組み込まれるコンクリ−トパネル２０Ａのコ−ナ−部２０Ａ0 が当接されて固定されるものであり、この添接板１０ｂはパネル２０の固定と共にパネル２０Ａが所定の位置に納まるように案内を司ることともなる。
【００１７】
図５及び図６はコンクリ−トパネル２０にて盛土の壁面材を構成した完成図である。コンクリ−トパネル２０は紙面の表裏に伸びて構成され、千鳥状に積み重ねられたパネル２０が斜めに取り付けられた添接板１０ｂにて固定された例である。そして、パネル２０の盛土側に並んで突出した円状フック２２にプラスチック製の盛土補強部材３０の網目３１が引っ掛けられ、円状フック２２内に横桟２４が挿入される。その後、この上より盛土が施されるものである。尚、図においては、盛土は省略してある。
【産業上の利用可能性】
【００１８】
本発明は、以上のような簡単な構造でコンクリ−トパネルの組立が確実になされ、更に、用いられた添接板が次に配置されるパネルのガイド役をもなすものであり、従来のようなクランプ方式とは異なり、添接板にて固定したまま盛土するものであり、その施工性が著しく簡便となった。あらゆるパネルの組み立てに利用が可能となったものである。
【図面の簡単な説明】
【００１９】
【図１】図１は添接板の斜視図である。
【図２】図２はコンクリ−トパネル及びその組立例を示す図である。
【図３】図３はコンクリ−トパネルに添接板を用いた組立例を示す図である。
【図４】図４は図３の主要部の拡大図である。
【図５】図５はコンクリ−トパネルによって構成された壁面材及び盛土補強部材との関係を示す側面図である。
【図６】図６はコンクリ−トパネルによって構成された壁面材及び盛土補強部材との関係を示す平面図である。
【符号の説明】
【００２０】
１０、１０ａ、１０ｂ  添接板、
１１、１２  ボルト挿通穴、
２０、２０Ａ  コンクリ−トパネル、
２０Ａ0   パネルのコ−ナ−部、
２１  ボルト挿通穴、
２２  円状フック、
２３  ボルト、
２４  横桟、
３０  盛土補強部材、
３１  網目。
【手続補正２】
【補正対象書類名】図面
【補正対象項目名】図３
【補正方法】変更
【補正の内容】
【図３】
2005113543.tif 000009
【手続補正書】
【提出日】平成16年1月28日(2004.1.28)
【手続補正１】
【補正対象書類名】明細書
【補正対象項目名】全文
【補正方法】変更
【補正の内容】
【発明の詳細な説明】
【技術分野】
【０００１】
本発明は、コンクリ−トパネルの組立構造に関し、更に言えば、このパネルを盛土の法面に壁面材として構築する組立構造に係るものである。
【背景技術】
【０００２】
従来から、盛土の崩壊を防ぐために、各種の盛土補強構造が採用されている。特に、網目状の盛土補強部材を盛土内に配置する盛土補強構造は、盛土の安定性に優れているため、数多く施工されている。その一例としては、特許文献１に記載のようにエキスパンドメタル等からなる法面補強部材と、ジオテキスタイルと呼ばれる網目状の盛土補強部材によって盛土を補強するものである。
【０００３】
【特許文献１】特開２００１−１１８６５号公報
【０００４】
一方、このエキスパンドメタル等からなる法面補強部材の代わりに、コンクリ−トパネルを組み立てて法面を構成する場合もあり、比較的薄型のパネルが用いられるため、敷設した盛土補強部材の上に盛土材料を盛る前にはパネルが不安定なため、クランプ等の治具を用いてパネルの表裏を挟み込んで固定する必要がある。従って、更に上段にパネルを設置する際にはこのクランプが邪魔になりこれを全て取り外す必要がある。
【発明の開示】
【発明が解決しようとする課題】
【０００５】
本発明は、簡単な構造でコンクリ−トパネルの組立が確実になされる壁面材の組立構造を提供するものであり、従前のようにその固定に用いられたクランプ等の治具を外す必要のない組立構造である。
【課題を解決するための手段】
【０００６】
本発明は、以上の課題を解決するためになされたものであって、その要旨は、方形のコンクリ−トパネルを水平方向に千鳥状に配置し、隣り合うコンクリ−トパネル同士を添接板にて接続し、これを取り外すことなく更に上段にコンクリ−トパネルを配置し、かかる添接板にて更に接続することを特徴とするコンクリ−トパネル壁面材の組立構造に係るものである。
【０００７】
そして、具体的には、このコンクリ−トパネルが、盛土の壁面材を構成するものであり、添接板は盛土側にて接続されるものである。特に具体例としては、添接板が斜めに接続され、この添接板の一部が、更に上段に配置されるコンクリ−トパネルのコ−ナ−面を覆うように接続されるものである。
【発明の効果】
【０００８】
本発明は、コンクリ−トパネルの組立が確実になされ、更に、用いられた添接板が次に配置されるパネルのガイド役をもなすものであり、施工性が著しく簡便となった。
【発明を実施するための最良の形態】
【０００９】
本発明における添接板は少なくとも一対のボルト挿通穴を有しており、好ましくは、少なくともその一方が長穴である。こうすることによって、ボルトの螺合位置にずれが生じても長穴であるためにその調整は極めて簡単である。法面を構成するコンクリ−トパネルにあっては、その盛土側にこの添接板を備えるものであって、場合によっては、両側に設けることも行われる。
【００１０】
一般的にはコンクリ−トパネルの水平方向に位置するパネル間にかかる添接板を用いるものであって、通常は水平に或いは斜めにして固定されるものであり、場合によっては、上下のパネル間の固定にも使用される。コンクリ−トパネルが千鳥状をなして配置される場合には、斜め配置が好ましく、この添接板の一部が上段に配置されるコンクリ−トパネルのコ−ナ−面を覆うように接続される時には、上段のコンクリ−トパネルのガイドの役割をもするもので、施工性が著しく向上する。
【００１１】
コンクリ−トパネルにあっては、添接板のボルト挿通穴に対して、ボルトを立設したり、この部位に例えば袋ナットを埋設して添接板の固定をもたらすものである。尚、単なる穴を開け、ここにボルト螺合用の割りピ−スを埋め込むことも可能である。勿論、パネルに貫通するボルト挿通穴を形成してここにボルトを通すこともできることは言うまでもない。
【００１２】
尚、盛土補強部材とは、盛土自体の補強のために敷設され、盛土中に埋設される網目状の合成樹脂からなるものである。コンクリ−トパネルの円状フックと盛土補強部材との連結を一層確実なものとし、盛土補強部材がフックから抜けないようにするため、盛土補強部材の網目の上面と円状フックの内面とでできた隙間に横桟を差し込むのがよい。かかる横桟は円状フックの内径に比べて細目のものが採用され、その機能はこの内径内にて動き得る範囲で盛土補強部材の動きを許容し、その分コンクリ−ト壁面材への引張力の影響を少なくしようとするものである。
【実施例】
【００１３】
以下、本発明を図面をもって更に詳細に説明する。図１は本発明にて用いる添接板１０の斜視図であり、長手方向に一対のボルト挿通穴１１、１２が形成され、この例ではいずれのボルト挿通穴も長穴となっている。
【００１４】
図２はコンクリ−トパネル２０の斜視図であり、かかるパネル２０には所定の位置にボルト挿通穴２１を穿孔したものであり、図３に示すように水平方向に千鳥状に組み立てられる。この例におけるコンクリ−トパネル２０は盛土の法面を形成するものであり、盛土側に図示しない盛土補強部材の網目が引っ掛けられる円状フック２２を多数備えたものである。
【００１５】
本発明の添接板１０をａ部では水平（１０ａ）に、ｂ部では斜めに取り付けた（１０ｂ）ものであり、この例では添接板１０側よりボルト２３をボルト挿通穴１１、１２及びコンクリ−トパネル２０のボルト挿通穴２１に挿入し、反対側にてナットを螺合して固定したものである。添接板１０に開けられたボルト挿通穴１１、１２が長穴となっているために、ボルト２３が所定の位置より多少ずれていたとしても位置の調節は自動的になされ、その固定は極めて簡単となる。
【００１６】
さて、図４は図３の主要部の拡大図であるが、斜めに取り付けられた添接板１０ｂにあっては、その中央部がややパネル２０より浮き出した状態であり、この部位に新たに組み込まれるコンクリ−トパネル２０Ａのコ−ナ−部２０Ａ0 が当接されて固定されるものであり、この添接板１０ｂはパネル２０の固定と共にパネル２０Ａが所定の位置に納まるように案内を司ることともなる。
【００１７】
図５及び図６はコンクリ−トパネル２０にて盛土の壁面材を構成した完成図である。コンクリ−トパネル２０は紙面の表裏に伸びて構成され、千鳥状に積み重ねられたパネル２０が斜めに取り付けられた添接板１０ｂにて固定された例である。そして、パネル２０の盛土側に並んで突出した円状フック２２にプラスチック製の盛土補強部材３０の網目３１が引っ掛けられ、円状フック２２内に横桟２４が挿入される。その後、この上より盛土が施されるものである。尚、図においては、盛土は省略してある。
【産業上の利用可能性】
【００１８】
本発明は、以上のような簡単な構造でコンクリ−トパネルの組立が確実になされ、更に、用いられた添接板が次に配置されるパネルのガイド役をもなすものであり、従来のようなクランプ方式とは異なり、添接板にて固定したまま盛土するものであり、その施工性が著しく簡便となった。あらゆるパネルの組み立てに利用が可能となったものである。
【図面の簡単な説明】
【００１９】
【図１】図１は添接板の斜視図である。
【図２】図２はコンクリ−トパネル及びその組立例を示す図である。
【図３】図３はコンクリ−トパネルに添接板を用いた組立例を示す図である。
【図４】図４は図３の主要部の拡大図である。
【図５】図５はコンクリ−トパネルによって構成された壁面材及び盛土補強部材との関係を示す側面図である。
【図６】図６はコンクリ−トパネルによって構成された壁面材及び盛土補強部材との関係を示す平面図である。
【符号の説明】
【００２０】
１０、１０ａ、１０ｂ  添接板、
１１、１２  ボルト挿通穴、
２０、２０Ａ  コンクリ−トパネル、
２０Ａ0   パネルのコ−ナ−部、
２１  ボルト挿通穴、
２２  円状フック、
２３  ボルト、
２４  横桟、
３０  盛土補強部材、
３１  網目。
【手続補正２】
【補正対象書類名】図面
【補正対象項目名】図３
【補正方法】変更
【補正の内容】
【図３】
2005113543.tif 000010